(57)【要約】【課題】本発明はセルフ給油方式の計量機に対して給油許可を送信するパネルの表示を誤操作しないように表示することを課題とする。【解決手段】燃料供給システムのＰＯＳ本体は、タッチパネル方式の液晶モニタ２２が搭載されており、この液晶モニタ２２には、精算表示エリア２２ａと、給油所に設置された計量機１２（１２１〜１２４）の動作状況を表示する計量機動作状況表示エリア２２ｂと、給油許可を送信した計量機番号を表示する給油許可待ち表示エリア２２ｃとが表示される。給油許可待ち表示エリア２２ｃには、複数（本実施例では、２個）の給油許可釦としての計量機番号のアイコンを表示する表示領域２２ｃ１，２２ｃ２が形成されており、２個の給油許可釦（計量機番号のアイコン）を拡大表示することが可能である。【選択図】    図３
2004210340.tif 000002
【特許請求の範囲】
【請求項１】
被供給タンクに燃料を供給するのに先立って燃料の供給要求信号を出力し、供給許可信号が入力されることにより当該被供給タンクへの燃料の供給が可能になる複数の燃料供給機と、
表示器を有すると共に、所定の操作を行うことにより指定された燃料供給機に対して前記供給許可信号を出力する供給許可手段とを含む燃料供給システムにおいて、
前記表示器の表示面を、前記各燃料供給機それぞれの動作状況を所定の大きさの領域をもって表示する動作状況表示部と、該動作状況表示部とは区別して設けられた許可待ち表示部との少なくとも二つの表示部で構成し、
前記供給要求信号を出力した燃料供給機を特定するための情報を前記許可待ち表示部内に所定の大きさの領域をもって表示させる表示制御手段を設け、
前記供給許可手段は、前記許可待ち表示部内の燃料供給機が表示されている領域が操作されたことを検出した場合に当該燃料供給機に対して供給許可信号を出力することを特徴とする燃料供給システム。
【請求項２】
前記許可待ち表示部内に表示される前記燃料供給機を特定するための情報を表示する領域の面積は、前記動作状況表示部に表示される各燃料供給機夫々の表示領域の面積よりも大きく設定されていることを特徴とする請求項１記載の燃料供給システム。
【請求項３】
前記許可待ち表示部内は複数の表示領域に分割され、
該各表示領域の内、一方の表示領域を用いての表示回数と他方の表示領域を用いての表示回数とを比較する表示回数比較手段と、
当該表示回数比較手段による比較結果に基づき、当該表示領域同士の使用回数が一致するように当該表示領域に表示すべき情報を何れかの表示領域に表示するかを切り替える表示領域切替手段と、
を設けたことを特徴とする請求項１または２記載の燃料供給システム。
【発明の詳細な説明】
【０００１】
【発明の属する技術分野】
本発明は燃料供給システムに係り、特に自動車の燃料タンクに燃料を供給するときに供給許可待ちの計量機を表示して当該計量機への供給許可出力操作を容易に行えるよう構成した燃料供給システムに関する。
【０００２】
【従来の技術】
例えば、ガソリンや軽油等の油液を車両の燃料タンクに供給する燃料供給システムを例に挙げて以下説明する。
【０００３】
例えば、セルフサービス方式の計量機が設置された給油所等では、運転者自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行う。
【０００４】
また、セルフサービス方式の計量機に給油量または給油金額の設定を行う設定器及び自動支払機が設けられている所謂アイランド精算方式の場合には、給油場所で給油料金の精算を行うことができる。
【０００５】
アイランド精算方式の給油システムでは、運転者は、まず自動支払機の紙幣挿入部に紙幣（１万円札、５千円札等）を挿入し、入金された金額が紙幣リーダにより読み取られて表示部に入金金額が表示された後、所望の油種（レギュラー、ハイオク、軽油等）を入力し、所望の給油量（１０リットル、２０リットル等）または給油金額（２千円、３千円等）を入力することで、当該計量機が給油許可待ち状態になる。
【０００６】
設定器では、上記のように油種選択及び紙幣の投入が行われて給油ノズルが燃料タンクの給油口に挿入されると、給油所のセルフコンソールに給油要求信号が送信される。
【０００７】
給油所の係員は、セルフコンソールに計量機から送信された給油要求が表示されると、当該計量機の状況を監視カメラの画像で確認し、給油許可釦をオンに操作する。これにより、給油許可待ちの計量機に給油許可信号が送信され、当該計量機での給油が可能になる。
【０００８】
この燃料供給システムでは、計量機からの給油要求信号がセルフコンソールで受信されると、セルフコンソールのモニタ（表示器）に監視カメラの画像が表示される。そして、給油所の係員は、セルフコンソールのモニタ（表示器）に表示された監視カメラの画像を見て給油許可待ちになった当該計量機の状況を確認してから給油許可釦を操作する（例えば、特許文献１参照）。
【０００９】
【特許文献１】
特開平９−１４２５８７号公報（第４頁、図４）
【００１０】
【発明が解決しようとする課題】
上記のような燃料供給システムでは、計量機からの給油要求信号がセルフコンソールで受信されると、セルフコンソールのモニタ（表示器）に監視カメラの画像が表示されるため、複数の計量機から給油要求信号が送信されている場合でも給油所の係員には、給油許可待ちの計量機を１台しか認識することができないという問題があった。
【００１１】
そのため、給油所の係員は、複数の計量機から同時に給油要求信号が送信された場合、表示されていない給油許可待ちの計量機の台数を把握できず、２番目以降の計量機に対する給油許可信号の送信が遅れてしまい、給油所の給油効率が低下するおそれがあった。
【００１２】
また、給油所に設置されている全ての計量機の動作状況をセルフコンソールのモニタに表示し、給油許可待ちの計量機を指定することにより、当該計量機に対して給油許可する方式もあるが、計量機が多数存在する場合には、１台の計量機の状況を表示するための表示スペースが小さくなるので、任意の計量機の給油許可釦を押圧する際に誤って隣に表示された給油許可釦を誤操作してしまうおそれがあった。
【００１３】
そこで、本発明は上記課題を解決した燃料供給システムを提供することを目的とする。
【００１４】
【課題を解決するための手段】
本発明は上記課題を解決するため、以下のような特徴を有する。
【００１５】
上記請求項１記載の発明は、被供給タンクに燃料を供給するのに先立って燃料の供給要求信号を出力し、供給許可信号が入力されることにより当該被供給タンクへの燃料の供給が可能になる複数の燃料供給機と、表示器を有すると共に、所定の操作を行うことにより指定された燃料供給機に対して供給許可信号を出力する供給許可手段とを含む燃料供給システムにおいて、表示器の表示面を、各燃料供給機それぞれの動作状況を所定の大きさの領域をもって表示する動作状況表示部と、動作状況表示部とは区別して設けられた許可待ち表示部との少なくとも二つの表示部で構成し、供給要求信号を出力した燃料供給機を特定するための情報を許可待ち表示部内に所定の大きさの領域をもって表示させる表示制御手段を設け、供給許可手段が、許可待ち表示部内の燃料供給機が表示されている領域が操作されたことを検出した場合に当該燃料供給機に対して供給許可信号を出力するものであり、許可待ち表示部の表示領域に表示された複数の識別データから許可待ち数を容易に把握でき、複数の許可待ちにも対応することが可能になり、燃料供給の効率を高められる。
【００１６】
上記請求項２記載の発明は、許可待ち表示部内に表示される燃料供給機を特定するための情報を表示する領域の面積が、動作状況表示部に表示される各燃料供給機夫々の表示領域の面積よりも大きく設定されており、どの燃料供給機が許可待ちなのかを容易に確認することが可能になる。
【００１７】
上記請求項３記載の発明は、前記許可待ち表示部内は複数の表示領域に分割され、該各表示領域の内、一方の表示領域を用いての表示回数と他方の表示領域を用いての表示回数とを比較する表示回数比較手段と、当該表示回数比較手段による比較結果に基づき、当該表示領域同士の使用回数が一致するように当該表示領域に表示すべき情報を何れかの表示領域に表示するかを切り替える表示領域切替手段と、を設けたものであり、許可待ち表示部内の複数の表示領域を均等に使用して一部の表示領域が劣化することを防止する。
【００１８】
【発明の実施の形態】
以下、図面と共に本発明の実施の形態について説明する。
図１は本発明になる燃料供給システムの一実施例の構成図である。
【００１９】
図１に示されるように、燃料供給システム１０は、給油エリア１１に設置されたセルフサービス給油方式の計量機１２と、計量機１２に隣接するように設けられた設定器１４と、事務所１６内に設置されたＰＯＳ本体１８と、ＰＯＳ本体１８に接続された記憶装置１９とを有する。
【００２０】
ＰＯＳ本体１８は、後述するように給油所で販売された油液の販売管理及びその他のサービス（例えば、オイル交換、洗車、点検など）の支払いを管理すると共に、給油要求信号を送信した計量機に対して給油所の係員の操作により給油許可信号を送信する機能も併せ持っている。また、ＰＯＳ本体１８は、タッチパネル方式の液晶モニタ（表示器）２２が搭載されており、この液晶モニタ２２の任意の表示箇所に触れることにより料金の精算を操作することができると共に、給油許可信号を送信するように操作することも可能になる。
【００２１】
また、設定器１４は、ＰＯＳ本体１８と通信回線（ＳＳ−ＬＡＮ）２０を介して接続されており、後述するように紙幣のみを扱う自動支払機２９（図３参照）が設けられた一部アイランド精算方式が採用されている。そして、事務所１６内には、紙幣以外の小銭（硬貨）による釣銭（千円未満の釣銭）を支払うための釣銭機２４及び地下タンク（図示せず）の液位を検出する液面計２５が設置されている。
【００２２】
また、給油エリア１１には、計量機１２及び設定器１４の周辺を監視するための監視カメラ２１が設けられており、事務所内に設置された監視モニタ２３には、監視カメラ２１で撮像された画像が表示される。さらに、ＰＯＳ本体１８には、給油エリアにおいて油液の流出などの緊急事態が発生した場合に計量機１２を停止させる外部緊急停止スイッチ３２が接続されている。
【００２３】
図２は燃料供給システム１０の全体構成を示すブロック図である。
図２に示されるように、燃料供給システム１０では、４台の計量機１２（１２１〜１２４）が設置されている。ＰＯＳ本体１８は、４台の計量機１２（１２１〜１２４）及び設定器１４（１４１〜１４４）と通信回線（ＳＳ−ＬＡＮ）２０を介して接続されている。尚、本実施例では、ＰＯＳ本体１８が４台の計量機１２（１２１〜１２４）の給油状況を管理するように構成されているが、これに限らず、４台以上の計量機を管理することも可能である。
【００２４】
ＰＯＳ本体１８の記憶装置１９には、液晶モニタ２２の表示面を、各計量機１２それぞれの動作状況を所定の大きさの領域をもって表示する計量機動作状況表示エリア（動作状況表示部）と、動作状況表示部とは区別して設けられた給油許可待ち表示エリア（許可待ち表示部）との少なくとも二つの表示部で構成し、供給要求信号を出力した燃料供給機を特定するための情報を許可待ち表示部内に所定の大きさの領域をもって表示させる制御プログラムＩ（表示制御手段）と、許可待ち表示部内の燃料供給機が表示されている領域が操作されたことを検出した場合に当該燃料供給機に対して供給許可信号を出力する制御プログラムＩＩ（供給許可手段）と、が格納されている。
【００２５】
また、ＰＯＳ本体１８の記憶装置１９には、給油許可待ち表示エリア（許可待ち表示部）が複数の表示領域に分割され、各表示領域の内、一方の表示領域を用いての表示回数と他方の表示領域を用いての表示回数とを比較する制御プログラムＩＩＩ（表示回数比較手段）と、表示回数の比較結果に基づき、当該表示領域同士の使用回数が一致するように当該表示領域に表示すべき情報を何れかの表示領域に表示するかを切り替える制御プログラムＩＶ（表示領域切替手段）と、が格納されている。
【００２６】
図３はＰＯＳ本体１８に搭載された液晶モニタ２２の表示例を示す図である。
図３に示されるように、ＰＯＳ本体１８の液晶モニタ２２の表示面は、料金の精算処理を行う場合、顧客に請求する項目（サービス内容）や各項目毎の料金や合計金額、支払い金額、つり銭などを表示する精算表示エリア２２ａと、給油所に設置された計量機１２（１２１〜１２４）の動作状況を表示する計量機動作状況表示エリア（動作状況表示部）２２ｂと、給油許可を送信した計量機番号を表示する給油許可待ち表示エリア（許可待ち表示部）２２ｃとに分割される。
【００２７】
計量機動作状況表示エリア２２ｂには、最大１６台の計量機１２の動作状況を表示する表示領域２２ｂ１〜２２ｂ１６が形成されている。この表示領域２２ｂ１〜２２ｂ１６は、数が多くなるほど表示面積が小さくなる。
【００２８】
給油許可待ち表示エリア２２ｃには、複数（本実施例では、２個）の給油許可釦としての計量機番号のアイコンを表示する表示領域２２ｃ１，２２ｃ２が形成されており、２個の給油許可釦（計量機番号のアイコン）を拡大表示することが可能である。この表示領域２２ｃ１，２２ｃ２の表示面積は、上記計量機動作状況表示エリア２２ｂの表示領域２２ｂ１〜２２ｂ１６の表示面積よりも大きく設定されている。
【００２９】
そのため、給油所の係員は、給油許可待ち表示エリア２２ｃに表示された給油許可釦の数によって給油許可待ち数を確認できると共に、給油許可待ちの計量機番号も確認できる。また、給油許可待ち表示エリア２２ｃに表示される給油許可釦は、比較的大きいので、操作しやすく、誤って隣に表示された釦（アイコン）を操作する心配がない。
【００３０】
尚、計量機動作状況表示エリア２２ｂには、１６台の計量機の動作状況を表示することが可能になっているが、設置された給油所の計量機台数に応じて任意の数が表示可能とされる。
【００３１】
次に、設定器１４に設けられた操作パネルの構成及び操作手順について説明する。
図４は設定器１４に設けられた操作パネルの一例を示す正面図である。
【００３２】
図４に示されるように、設定器１４の操作パネル５６は、上から順に▲１▼油の種類を押す、▲２▼お金を入れる、▲３▼確認する、▲４▼給油開始、▲５▼レシートを取るといった操作手順が記載されている。
【００３３】
「▲１▼油の種類を押す」の欄には、給油する油種を指定するための油種入力部２６として軽油釦５８、ハイオク釦６０、レギュラー釦６２が配置されている。また、軽油釦５８、ハイオク釦６０、レギュラー釦６２は、ランプが内蔵されており、後述するようにオンに操作されると点灯して選択された油種であることを表示する。
【００３４】
「▲２▼お金を入れる」の欄には、紙幣を挿入する紙幣挿入部３０と紙幣返却部３３とを有する自動支払機２９、入金金額表示部４２、単価表示部４４が設けられている。また、自動支払機２９の蓋２９ａは、通常、キーによりロック解除されており、紙幣回収時にロック解除されて開かれる。また、自動支払機２９は、蓋２９ａが開かれたことを検出する収容蓋スイッチ３６と、紙幣鑑別部３２と、紙幣収容部３４とを有する。そして、自動支払機２９の蓋２９ａは、紙幣収容部３４に収容された紙幣が回収されると、閉塞されてロックされる。
【００３５】
「▲３▼確認する」の欄には、ＹＥＳ確認スイッチ釦３８ａとＮＯ確認スイッチ釦３８ｂとが設けられている。
【００３６】
「▲４▼給油開始」の欄には、給油許可がおりたことを点滅して報知する給油ランプ５１が設けられている。
【００３７】
「▲５▼レシート」の欄には、レシートスイッチ５０と、レシート発行部５２と、お釣りランプ５３とが設けられている。
【００３８】
ここで、上記燃料供給システム１０において、行われる給油操作について説明する。
【００３９】
給油のため給油所に到着した車両の操作者は、まず給油エリア１１の空いている計量機１２の前に車両を停車させてから設定器１４の設定操作を行う。そして、設定器１４による油種、給油金額を設定し終わると、計量機１２の給油ノズルを車両の給油口（図示せず）に挿入して給油を開始する。
【００４０】
次に、顧客（運転者）及び給油所の監視者（係員）が行う操作手順について説明する。
図５は顧客（運転者）及び給油所の監視者（係員）が行う操作手順について説明するフローチャートである。
【００４１】
図５に示されるように、顧客（運転者）が設定器１４において、軽油釦５８、ハイオク釦６０、レギュラー釦６２の何れかをオンに操作して油種選択操作を行った（Ｓ１１）後、紙幣を紙幣挿入部３０に挿入すると、入金金額が入金金額表示部４２に表示される（Ｓ１２）。
【００４２】
次に顧客が、給油金額のプリセット設定を行うと共に、プリセットされた給油金額に相当する給油量を表示する（Ｓ１３）。そして、表示された給油金額及び給油量が間違っているときは（Ｓ１４）、確認スイッチ釦３８ｂをオンに操作する（Ｓ１５）。この場合、顧客は設定操作を最初からやり直す。
【００４３】
また、表示された給油金額及び給油量が正しければ（Ｓ１４）、確認スイッチ釦３８ａをオンに操作する（Ｓ１６）。そして、紙幣の釣銭（千円以上）があるかどうかを判断して（Ｓ１７）、紙幣の釣銭があるときは、紙幣返却部３３に釣銭としての紙幣を排出する（Ｓ１８）。上記プリセット操作が終了すると、計量機１２において、給油ノズル（図示せず）をノズル掛けから外して（Ｓ１９）、車両の給油口に挿入する。
【００４４】
この後、給油所の事務所において、ＰＯＳ本体１８は、計量機１２からの給油要求信号を受けて給油許可待ち状態になる（Ｓ２０）。給油所の係員（監視者）は、計量機１２からの給油要求に対して設定器１４により設定されたプリセット値とモニタ２３に表示された当該計量機１２周辺の画像を確認して給油許可を出力する（Ｓ２１）。
【００４５】
計量機１２では、給油許可信号を受信すると、給油ランプ５１が点滅し、ポンプ（図示せず）が起動されて給油が開始される（Ｓ２２）。そして、プリセットされた給油量が給油されると、ポンプが停止される（Ｓ２３）。顧客が給油ノズルを計量機１２のノズル掛けに戻すと（Ｓ２４）、設定器１４では給油量と入金金額との差を求めて釣銭（千円以下）の有無を判別する（Ｓ２５）。
【００４６】
釣銭（千円以下）があるときは、レシートランプ釦５０を点滅させてレシート発行部５２からレシートを発行する（Ｓ２６）。その後、給油所の事務所において、係員（監視者）は、釣銭機２４に伝票番号を入力して釣銭の払い出しを許可する（Ｓ２７）。
【００４７】
顧客は、給油終了後、釣銭機２４から釣銭を受取る（Ｓ２８）。これで、給油及び精算処理は終了する（Ｓ２９）。
【００４８】
また、Ｓ２５で釣銭がないときは、レシートランプ釦５０を点滅させる（Ｓ３０）。顧客がレシートランプ釦５０を押圧してオンに操作すると（Ｓ３１）、レシート発行部５２からレシートを発行する（Ｓ３２）。これで、給油及び精算処理は終了する（Ｓ３３）。
【００４９】
また、Ｓ３１で顧客がレシートランプ釦５０を押圧操作しないときは、３０秒経過したかかどうかを確認する（Ｓ３４）。尚、３０秒が経過してもレシートランプ釦５０が押圧操作されないときは、レシートランプ釦５０を消灯させ（Ｓ３５）、給油及び精算処理を終了する。
【００５０】
次に上記ＰＯＳ本体１８が計量機１２からの給油要求に応じて実行する給油処理について説明する。
図６はＰＯＳ本体１８が計量機１２からの給油要求に応じて実行する給油処理を説明するためのフローチャートである。
【００５１】
図６に示されるように、ＰＯＳ本体１８の制御回路は、Ｓ４１において、計量機１２から給油要求信号が入力されたかどうかをチェックする。顧客がセルフサービス方式の給油を行うため、設定器１４により油種、給油金額または給油量を設定し、計量機１２のノズル掛け（図示せず）から給油ノズル（図示せず）を外して給油口（図示せず）に挿入すると、当該計量機１２はＰＯＳ本体１８に対して給油要求信号を出力する。
【００５２】
Ｓ４１において、給油要求信号（計量機番号を含む）が入力されると、Ｓ４２に進み、当該給油要求信号を送信した計量機番号を待機中の記憶エリアから消去すると共に、当該計量機の待機中の表示を計量機動作状況表示エリア２２ｂから消去する。
【００５３】
次のＳ４３では、当該給油要求信号を送信した計量機番号を記憶装置１９に形成された許可待ち記憶エリアに記憶させると共に、当該計量機番号の許可待ちの表示を計量機動作状況表示エリア２２ｂに表示する（図７参照）。
【００５４】
次のＳ４４では、給油要求信号を送信した計量機が２台以上あるかどうかをチェックする。Ｓ４４において、給油要求信号を送信した計量機が１台であるときは、Ｓ４５に進み、給油許可待ち表示エリア２２ｃに設けられた２台の表示領域２２ｃ１，２２ｃ２の表示回数を比較し、このうち使用頻度（表示回数）の低い表示領域（タッチ回数のカウント値が小さい方の領域）を判別する（表示回数比較手段）。
【００５５】
続いて、Ｓ４６では、表示回数の比較結果に基づき、当該表示領域同士の使用回数が一致するように当該表示領域に表示すべき情報を何れかの表示領域に表示するかを切り替える。すなわち、給油許可待ち表示エリア２２ｃに設けられた２台の表示領域２２ｃ１，２２ｃ２のうち使用頻度の低い表示領域に今回給油要求信号を送信した計量機番号を表示する（表示領域切替手段、図８参照）。これにより、表示領域２２ｃ１，２２ｃ２のうち一方のみが頻繁に使用されることが無く、表示領域２２ｃ１，２２ｃ２の両方が均等に使用されるため、表示領域２２ｃ１，２２ｃ２のうち一方のみが劣化することが防止される。これで、給油要求信号を送信した計量機が１台である場合の処理を終了する。
【００５６】
尚、本実施例では、給油許可待ち表示エリア２２ｃに２台分の表示領域２２ｃ１，２２ｃ２を設けたため、２台以上の計量機１２から給油要求信号が送信された場合には、送信順に給油許可待ち表示エリア２２ｃに計量機番号が表示される。従って、３台目以降の計量機番号は、先に表示された計量機番号が消去された後の空いた領域に順次表示される。そのため、給油所の係員は、複数の計量機１２から給油要求信号が送信されていることを給油許可待ち表示エリア２２ｃの表示から容易に確認することができる。
【００５７】
また、上記Ｓ４４において、給油要求信号を送信した計量機が２台以上であるときは、Ｓ４７に進み、給油許可待ち表示エリア２２ｃに設けられた２台の表示領域２２ｃ１，２２ｃ２に今回給油要求信号を送信した２台の計量機番号のアイコン（識別データ）６１，６２を表示する（図７参照）。これで、給油要求信号を送信した計量機が２台以上である場合の処理を終了する。
【００５８】
また、上記Ｓ４１において、給油要求信号（計量機番号を含む）が入力されないときはＳ４８に移行して給油許可の指示があったかどうかをチェックする。
【００５９】
このＳ４８において、給油所の係員が監視カメラ２１により撮像された当該計量機１２の状況を監視モニタ２３により確認した後、給油許可待ち表示エリア２２ｃに表示された計量機番号（２号機）のアイコン（識別データ）６１に触れると、当該計量機（２号機）１２に対して給油許可信号を出力する（Ｓ４９）。
【００６０】
次のＳ５０では、給油許可信号を出力された当該計量機（２号機）１２の番号を許可待ちの記憶エリアから消去すると共に、当該計量機の許可待ち表示を計量機動作状況表示エリア２２ｂから消去する。また、給油許可待ち表示エリア２２ｃに表示された計量機番号（２号機）のアイコン（識別データ）６１を消去する（図８参照）。
【００６１】
次のＳ５１では、給油許可信号を出力された当該計量機（２号機）１２の番号を記憶装置１９に形成された給油中記憶エリアに記憶させる。
【００６２】
続いて、Ｓ５２では、当該計量機（２号機）１２が給油中であることを計量機動作状況表示エリア２２ｂに表示する（図８参照）。この後は、上記Ｓ４４に移行してＳ４４〜Ｓ４７の処理を実行する。
【００６３】
ここで、例えば、Ｓ４４において、給油要求信号を送信した計量機が１台であるときは、Ｓ４５で、給油許可待ち表示エリア２２ｃに設けられた２台の表示領域２２ｃ１，２２ｃ２のうち使用頻度の低い表示領域（タッチ回数のカウント値が小さい方の領域）を判別し、Ｓ４６で、給油許可待ち表示エリア２２ｃに設けられた２台の表示領域２２ｃ１，２２ｃ２のうち使用頻度の低い表示領域（例えば、図９に示されるように、給油許可待ち表示エリア２２ｃの右側の領域）に今回給油要求信号を送信した計量機番号（３号機）のアイコン６３を表示する。
【００６４】
また、上記Ｓ４８において、給油許可指示が行われなかった場合、Ｓ５３に移行して計量機１２から給油終了信号が入力されたかどうかをチェックする。尚、Ｓ５３において、計量機１２から給油終了信号が入力されないときは、上記Ｓ４１に戻り、Ｓ４１，Ｓ４８，Ｓ５３の処理を繰り返す。
【００６５】
また、Ｓ５３において、計量機１２から給油終了信号が入力されたときは、Ｓ５４に進み、給油終了信号を送信した当該計量機１２の機器番号（２号機）を記憶装置１９の給油中記憶エリアから消去すると共に、当該計量機番号（２号機）の給油中表示を計量機動作状況表示エリア２２ｂから消去する。
【００６６】
続いて、Ｓ５５に進み、当該計量機１２の機器番号（２号機）を記憶装置１９の待機中記憶エリアに記憶する。そして、Ｓ５６では、計量機動作状況表示エリア２２ｂの当該計量機番号（２号機）の表示を待機中に切り替える（図９参照）。
【００６７】
このように、給油許可待ち表示エリア２２ｃの表示領域２２ｃ１，２２ｃ２に表示された計量機番号のアイコン（識別データ）の数により、許可待ち数を容易に把握でき、複数の許可待ちにも対応することが可能になり、燃料供給の効率を高めることができる。
【００６８】
尚、上記実施例では、ガソリンや軽油等の油液を車両の燃料タンクに給油する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６９】
また、上記実施例では、給油許可待ち表示エリア２２ｃの表示領域２２ｃ１，２２ｃ２に計量機番号のアイコンを識別データとして表示する場合を一例として挙げたが、これに限らず、計量機番号以外の識別データ（例えば、計量機を識別する記号やマークあるいは名前（愛称）など）をアイコンに用いても良い。
【００７０】
また、上記実施例では、給油許可待ち表示エリア２２ｃに設けられた２台の表示領域２２ｃ１，２２ｃ２の表示回数を毎回比較するようにしたが、これに限らず、例えば、表示領域２２ｃ１，２２ｃ２の何れか一方を１０回ずつ優先的に表示するようにしても良いし、あるいは所定時間毎、あるいは偶数日と奇数日によって表示領域２２ｃ１，２２ｃ２の何れか一方を優先的に表示するようにしても良い。
【００７１】
また、上記実施例では、ＰＯＳ本体１８に設けられた液晶モニタ２２の表示面に計量機動作状況表示エリア２２ｂ及び給油許可待ち表示エリア２２ｃ及び精算表示エリア２２ａを表示した場合の表示例を示したが、これに限らず、ＰＯＳ本体１８の液晶モニタ２２以外の表示面、あるいはＰＯＳ本体１８から独立した機器の表示面に表示するようにしても良い。
【００７２】
【発明の効果】
上述の如く、上記請求項１記載の発明によれば、被供給タンクに燃料を供給するのに先立って燃料の供給要求信号を出力し、供給許可信号が入力されることにより当該被供給タンクへの燃料の供給が可能になる複数の燃料供給機と、表示器を有すると共に、所定の操作を行うことにより指定された燃料供給機に対して供給許可信号を出力する供給許可手段とを含む燃料供給システムにおいて、表示器の表示面を、各燃料供給機それぞれの動作状況を所定の大きさの領域をもって表示する動作状況表示部と、動作状況表示部とは区別して設けられた許可待ち表示部との少なくとも二つの表示部で構成し、供給要求信号を出力した燃料供給機を特定するための情報を許可待ち表示部内に所定の大きさの領域をもって表示させる表示制御手段を設け、供給許可手段が、許可待ち表示部内の燃料供給機が表示されている領域が操作されたことを検出した場合に当該燃料供給機に対して供給許可信号を出力するため、許可待ち表示領域に表示された複数の識別データから許可待ち数を容易に把握でき、複数の許可待ちにも対応することが可能になり、燃料供給の効率を高めることができる。
【００７３】
上記請求項２記載の発明によれば、許可待ち表示部内に表示される燃料供給機を特定するための情報を表示する領域の面積が、動作状況表示部に表示される各燃料供給機夫々の表示領域の面積よりも大きく設定されたため、どの燃料供給機が許可待ちなのかを容易に確認することができる。
【００７４】
上記請求項３記載の発明によれば、前記許可待ち表示部内は複数の表示領域に分割され、該各表示領域の内、一方の表示領域を用いての表示回数と他方の表示領域を用いての表示回数とを比較する表示回数比較手段と、当該表示回数比較手段による比較結果に基づき、当該表示領域同士の使用回数が一致するように当該表示領域に表示すべき情報を何れかの表示領域に表示するかを切り替える表示領域切替手段と、を設けたため、許可待ち表示部内の複数の表示領域を均等に使用して一部の表示領域が劣化することを防止することができる。
【図面の簡単な説明】
【図１】本発明になる給油システムの一実施例の構成を示すブロック図である。
【図２】燃料供給システム１０の全体構成を示すブロック図である。
【図３】ＰＯＳ本体１８に搭載された液晶モニタ２２の表示例を示す図である。
【図４】設定器１４に設けられた操作パネルの一例を示す正面図である。
【図５】顧客（運転者）及び給油所の監視者（係員）が行う操作手順について説明するフローチャートである。
【図６】ＰＯＳ本体１８が計量機１２からの給油要求に応じて実行する給油処理を説明するためのフローチャートである。
【図７】液晶モニタ２２の給油許可待ち表示エリア２２ｃに２台の計量機番号のアイコンを表示した表示例を示す図である。
【図８】給油許可待ち表示エリア２２ｃのアイコンに触れて給油許可信号を送信した場合の表示例を示す図である。
【図９】液晶モニタ２２の給油許可待ち表示エリア２２ｃに１台の計量機番号のアイコンを表示した表示例を示す図である。
【符号の説明】
１０  燃料供給システム
１２（１２１〜１２４）  計量機
１４（１４１〜１４４）  設定器
１８  ＰＯＳ本体
２２  液晶モニタ
２２ａ  精算表示エリア
２２ｂ  計量機動作状況表示エリア
２２ｃ  給油許可待ち表示エリア
２２ｃ１，２２ｃ２  表示領域
２４  釣銭機
２９  自動支払機
３０  紙幣挿入部
３２  紙幣鑑別部
３３  紙幣返却部
３４  紙幣収容部
３８ａ，３８ｂ  確認スイッチ釦
４２  入金金額表示部
５０  レシートランプ釦
５２  レシート発行部
５４  制御部
５６  操作パネル
６１〜６３  アイコン
【図１】
2004210340.tif 000003
【図２】
2004210340.tif 000004
【図３】
2004210340.tif 000005
【図４】
2004210340.tif 000006
【図５】
2004210340.tif 000007
【図６】
2004210340.tif 000008
【図７】
2004210340.tif 000009
【図８】
2004210340.tif 000010
【図９】
2004210340.tif 000011